(57)【要約】【課題】加入者にとってより簡便な仕組みで加入者情報の変更を通知する。【解決手段】加入者情報管理装置１には、加入者情報と、通知するメッセージ内容、当該メッセージの通知先、および当該メッセージの通知時期とを決定するための条件とが記憶されており、加入者情報が変更された場合に上記条件に基づいた通知メッセージを作成し、加入者によって利用されるメッセージ受信端末４へ配信する。【選択図】        図１
2004357000.tif 000002
【特許請求の範囲】
【請求項１】
メッセージ受信端末を利用する加入者に関する加入者情報を記憶した情報記憶手段と、
前記情報記憶手段によって記憶されている加入者情報が変更された場合に、その変更の内容を示すメッセージ内容と、当該メッセージの通知先と、当該メッセージの通知時期とを決定するための条件を記憶した条件記憶手段と、
変更された加入者情報の内容と、前記条件記憶手段に記憶された条件とに基づいて、前記メッセージ内容と前記通知先と前記通知時期とを決定する決定手段と、
前記決定されたメッセージ内容に基づいて前記メッセージ受信端末の受信可能な形式にてメッセージを作成する作成手段と、
前記決定された通知時期が到来すると、前記作成されたメッセージを前記決定された通知先であるメッセージ受信端末に配信する配信手段とを備える加入者情報通知システム。
【請求項２】
前記通知先には、前記加入者自身によって利用される第１のメッセージ受信端末と、当該加入者自身とは別の加入者によって利用される第２のメッセージ受信端末とが含まれており、
前記条件記憶手段には、前記通知先が前記第１のメッセージ受信端末と前記第２のメッセージ受信端末とのどちらであるかということに応じて、それぞれ異なるメッセージ内容を決定するための条件が記憶されており、
前記決定手段は、前記条件に従って、前記第１のメッセージ受信端末に通知すべきメッセージ内容と、前記第２のメッセージ受信端末に通知すべきメッセージ内容とを決定する請求項１記載の加入者情報通知システム。
【請求項３】
前記別の加入者とは、前記加入者情報の変更後に前記加入者自身が前記メッセージ受信端末を用いて通話或いは通信を行った相手である請求項２記載の加入者情報通知システム。
【請求項４】
前記加入者情報の管理を行う加入者情報管理装置と、前記メッセージ受信端末に対して各種メッセージを配信するメッセージ配信装置とを備え、
前記加入者情報管理装置が、前記情報記憶手段と、前記条件記憶手段と、前記決定手段と、前記作成手段とを有し、
前記メッセージ配信装置が前記配信手段を有している請求項１記載の加入者情報通知システム。
【請求項５】
前記加入者情報の管理を行う加入者情報管理装置と、前記メッセージ受信端末に対して各種メッセージを配信するメッセージ配信装置とを備え、
前記加入者情報管理装置が前記情報記憶手段と、前記条件記憶手段と、前記決定手段とを有し、
前記メッセージ配信装置が前記作成手段と前記配信手段とを有している請求項１記載の加入者情報通知システム。
【請求項６】
メッセージ受信端末を利用する加入者に関する加入者情報が変更された場合に、変更された加入者情報の内容と予め定められている条件とに基づいて、前記変更の内容を示すメッセージ内容と、当該メッセージの通知先と、当該メッセージの通知時期とをネットワークにおいて決定する過程と、
前記決定されたメッセージ内容に基づいて前記メッセージ受信端末の受信可能な形式にてメッセージを作成する過程と、
前記決定された通知時期が到来すると、前記ネットワークから前記決定された通知先であるメッセージ受信端末に対して前記作成されたメッセージを配信する過程とを備える加入者情報通知方法。
【発明の詳細な説明】
【０００１】
【発明の属する技術分野】
本発明は、加入者情報の変更内容を示すメッセージを加入者に通知するための技術に関する。
【０００２】
【従来の技術】
携帯電話機に関するサービスには様々なものがある。その代表的な例としては、いわゆる留守番電話サービスや電子メールサービスのほか、詳細な通話履歴が記録された明細書を発行するサービスや、特定の通話先との間で行われた通話に対しては通話料金を割り引くサービスなどがよく知られている。この種のサービスは、一般に、加入者からの申し込みに基づいて開始されるようなオプションサービスである。このため、これらのサービスの申し込み状況に関する情報はホームロケーションレジスタ或いはホームメモリと称せられる加入者情報管理装置により、加入者の氏名や住所などと共に加入者情報として記憶されている。
【０００３】
例えば留守番電話サービスが解約されたとき等のように、加入者情報管理装置によって記憶されている加入者情報が変更された場合、その変更内容を加入者の知人などに知らせるための仕組みが既に提案されている（例えば特許文献１）。
この特許文献１に記載されている方法では、加入者が、自身の加入者情報に変更が生じた場合に、その変更内容を通知する通知先、通知方法或いは通知日などの詳細をネットワークに事前登録しておく。一方、上記加入者によって利用されているサービス内容を知りたいと考える第３者が自身の電話機を用いて特別な発呼操作を行うと、この第３者（発呼者）が上記のようにして事前登録された通知先であるか否かということがネットワークによって判定される。そして、この判定により通知先であることが確認された場合には、ネットワークから上記発呼者に対し変更内容が通知されることになる。
【０００４】
【特許文献１】
特開２００２−２４７１９４号公報
【０００５】
【発明が解決しようとする課題】
上述したように、特許文献１に記載されている方法では、通知先、通知方法及び通知日などが加入者によって事前に登録されるようになっている。このため、加入者はどのサービスに変更が生じた場合にはどの通知先にいつ頃どのような方法で変更内容を通知すべきかということを逐一考えて決めておかなければならないし、また、このようにして決めた事項をネットワークにいちいち登録しなければならないという煩雑さがある。このような煩雑な作業を経なければならないとすれば、加入者は最初からこれらの作業を敬遠してしまうことが十分に予想される。そしてこの結果、加入者情報を他人に通知するという所期の目的を達成できなくなってしまうという虞がある。
【０００６】
本発明はこのような背景の下になされたものであり、その目的は、加入者にとってより簡便な仕組みで加入者情報の変更を通知することを目的とする。
【０００７】
【課題を解決するための手段】
上述した課題を解決するため、本発明は、メッセージ受信端末を利用する加入者に関する加入者情報を記憶した情報記憶手段と、前記情報記憶手段によって記憶されている加入者情報が変更された場合に、その変更の内容を示すメッセージ内容と、当該メッセージの通知先と、当該メッセージの通知時期とを決定するための条件を記憶した条件記憶手段と、変更された加入者情報の内容と、前記条件記憶手段に記憶された条件とに基づいて、前記メッセージ内容と前記通知先と前記通知時期とを決定する決定手段と、前記決定されたメッセージ内容に基づいて前記メッセージ受信端末の受信可能な形式にてメッセージを作成する作成手段と、前記決定された通知時期が到来すると、前記作成されたメッセージを前記決定された通知先であるメッセージ受信端末に配信する配信手段とを備える加入者情報通知システムを提供する。
また、本発明は、メッセージ受信端末を利用する加入者に関する加入者情報が変更された場合に、変更された加入者情報の内容と予め定められている条件とに基づいて、前記変更の内容を示すメッセージ内容と、当該メッセージの通知先と、当該メッセージの通知時期とをネットワークにおいて決定する過程と、前記決定されたメッセージ内容に基づいて前記メッセージ受信端末の受信可能な形式にてメッセージを作成する過程と、前記決定された通知時期が到来すると、前記ネットワークから前記決定された通知先であるメッセージ受信端末に対して前記作成されたメッセージを配信する過程とを備える加入者情報通知方法を提供する。
この発明によれば、加入者情報の変更に際して、適切な通知時期に適切な通知先へと加入者情報の変更を通知するメッセージを配信することが可能となる。
【０００８】
また、本発明の望ましい態様においては、前記通知先には、前記加入者自身によって利用される第１のメッセージ受信端末と、当該加入者自身とは別の加入者によって利用される第２のメッセージ受信端末とが含まれており、前記条件記憶手段には、前記通知先が前記第１のメッセージ受信端末と前記第２のメッセージ受信端末とのどちらであるかということに応じて、それぞれ異なるメッセージ内容を決定するための条件が記憶されており、前記決定手段は、前記条件に従って、前記第１のメッセージ受信端末に通知すべきメッセージ内容と、前記第２のメッセージ受信端末に通知すべきメッセージ内容とを決定する。
これにより、加入者自身または別の加入者をメッセージの通知先とし、それぞれに異なるメッセージを配信することが可能となる。
【０００９】
また、本発明の望ましい態様においては、前記別の加入者とは、前記加入者情報の変更後に前記加入者自身が前記メッセージ受信端末を用いて通話あるいは通信を行った相手である。
これにより、加入者情報を変更した加入者は、その通話先あるいは通信先である別の加入者に対して自身の加入者情報を変更したことを通知することが可能となる。
【００１０】
また、本発明の一態様として、前記加入者情報の管理を行う加入者情報管理装置と、前記メッセージ受信端末に対して各種メッセージを配信するメッセージ配信装置とを備え、前記加入者情報管理装置が、前記情報記憶手段と、前記条件記憶手段と、前記決定手段と、前記作成手段とを有し、前記メッセージ配信装置が前記配信手段を有していても良い。
あるいは、本発明の別の態様として、前記加入者情報の管理を行う加入者情報管理装置と、前記メッセージ受信端末に対して各種メッセージを配信するメッセージ配信装置とを備え、前記加入者情報管理装置が前記情報記憶手段と、前記条件記憶手段と、前記決定手段とを有し、前記メッセージ配信装置が前記作成手段と前記配信手段とを有していても良い。
【００１１】
【発明の実施の形態】
以下、図面を参照して、この発明の実施形態について説明する。
【００１２】
（１）構成
図１は本発明の一実施形態に係るメッセージ配信システムの全体構成図である。同図に示されるように、本システムは加入者情報管理装置１と、メッセージ配信装置２と、通信ネットワーク３と、複数のメッセージ受信端末４ａ，４ｂとを備える。なお、複数のメッセージ受信端末４ａ，４ｂを区別する必要のない場合、以下においては適宜メッセージ受信端末４と記載する。また、同図においては説明の便宜上２台のメッセージ受信端末４ａ，４ｂのみを記載しているが、実際には多数のメッセージ受信端末４が通信ネットワーク３に接続可能となっている。
以下、図１の各構成要素について詳細に説明する。
【００１３】
（１−１）メッセージ受信端末４
メッセージ受信端末４は、例えばＰＤＣ（Ｐｅｒｓｏｎａｌ  Ｄｉｇｉｔａｌ  Ｃｅｌｌｕｌａｒ）方式やＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）方式の携帯電話機や、ＰＨＳ（Ｐｅｒｓｏｎａｌ  Ｈａｎｄｙｐｈｏｎｅ  Ｓｙｓｔｅｍ：登録商標）方式の簡易携帯電話機や、これらの通信方式に従ってデータ通信を行う通信装置を内蔵したＰＤＡ（Ｐｅｒｓｏｎａｌ  Ｄｉｇｉｔａｌ  Ａｓｓｉｓｔａｎｔｓ）である。このメッセージ受信端末４は、通信ネットワーク３を介して音声通話やテキストメッセージ等のデータ通信を行うことが可能である。このメッセージ受信端末４は通信ネットワークの運営・管理を行う電気通信事業者とサービス契約を締結している加入者により所有および使用される。
【００１４】
（１−２）通信ネットワーク３
通信ネットワーク３は、前述した方式に従ってメッセージ受信端末４に音声通話サービスやデータ通信サービスを提供する移動通信ネットワークである。この通信ネットワーク３は、メッセージ受信端末４と無線通信を行う複数の基地局３１と、ネットワーク内の交換処理を行う複数の交換機３２を備えている。また、通信ネットワーク３には、加入者情報管理装置１と、メッセージ配信装置２とが接続されている。メッセージ受信端末４と、加入者情報管理装置１と、メッセージ配信装置２とは、この通信ネットワーク３を介して互いにデータ通信を行うことが可能になっている。
【００１５】
（１−３）加入者情報管理装置１
加入者情報管理装置１は、加入者に関する各種情報（以下、加入者情報という）を記憶したデータベース装置である。この加入者情報管理装置１は、電気通信事業者のオペレータによって操作されるオペレータ端末（図示略）と接続されており、このオペレータ端末に入力された加入者情報が加入者情報管理装置１に転送されて記憶されるようになっている。また、加入者自身がメッセージ受信端末４を操作することによって加入者情報を入力し、これをメッセージ受信端末４から加入者情報管理装置１に送信して記憶させることも可能である。
また、加入者情報管理装置１は、自身が記憶している加入者情報が変更されると、その変更内容と予め定められた条件に基づいて加入者に対する通知メッセージを生成する機能を備えている。生成された通知メッセージは、加入者情報管理装置１からメッセージ配信装置２へと送信され、このメッセージ配信装置２から加入者のメッセージ受信端末４に転送されるようになっている。
【００１６】
図２は加入者情報管理装置１の構成を示すブロック図である。同図に示されるように、加入者情報管理装置１は、ＣＰＵ（Ｃｅｎｔｒａｌ  Ｐｒｏｃｅｓｓｉｎｇ  Ｕｎｉｔ）１１，ＲＯＭ（Ｒｅａｄ  Ｏｎｌｙ  Ｍｅｍｏｒｙ）１２，ＲＡＭ（Ｒａｎｄｏｍ  Ａｃｃｅｓｓ  Ｍｅｍｏｒｙ）１３，ＨＤＤ（Ｈａｒｄ  Ｄｉｓｋ  Ｄｒｉｖｅ）１４，通信インターフェース１５を備えている。ＨＤＤ１４には、ＣＰＵ１１が後述するようにして加入者情報を管理したりメッセージを生成するためのコンピュータプログラムの他、加入者情報テーブルＴＢ１，通知情報テーブルＴＢ２および通知時期情報テーブルＴＢ３という３種類のテーブルが記憶されている。
【００１７】
図３は加入者情報テーブルＴＢ１のデータ構造を示した図である。この加入者情報テーブルＴＢ１に記述された内容は電気通信事業者或いは加入者によって決められたものである。以下、同図を参照しつつ各フィールドの説明を行う。
加入者ＩＤｕＩＤには、このテーブルのレコードを一意的に識別するためのデータが記述されている。加入者名ｕＮａｍｅには、このレコードの付与されたメッセージ受信端末４を契約している加入者の氏名に関するデータが記述されている。電話番号ｐＮｕｍには、加入者の所有するメッセージ受信端末４に割り当てられた電話番号に関するデータが記述されている。メールアドレスｍＡｄｄｒには、加入者の所有するメッセージ受信端末４に割り当てられたメールアドレスに関するデータが記述されている。サービスＡフラグｆｌｇＡおよびサービスＢフラグｆｌｇＢには、加入者がサービスＡおよびサービスＢに加入しているか否かを識別するデータがそれぞれ記述されており、例えば値が「１」でサービス加入、「０」でサービス未加入を示す。ここで「サービス」とは、メッセージ受信端末４の使用に際して電気通信事業者により提供される有償または無償の各種便宜であり、加入者によってそのサービスの加入の可否を選択することができる。このサービスには、例えば加入者に対して通話や料金等の明細を送付するサービスや、特定の通話先との通話料金が割安になるサービス等の多種多様のものがあるが、本実施形態では、これらの多数のサービスのうち、「サービスＡ」と「サービスＢ」という任意の２つのサービスを例に挙げて説明を行う。
【００１８】
加入者情報テーブルＴＢ１に記憶されている情報は、以上のようになっている。例えば図３では、加入者ＩＤ「００１」が割り当てられた加入者「携帯  太郎」によって利用されるメッセージ受信端末４の電話番号とメールアドレスはそれぞれ「０９０１１１１２２２２」と「ｔａｒｏｕ＠ｄｄｄ．ｎｅ．ｊｐ」であり、この加入者は「サービスＡ」には加入しているが「サービスＢ」には未加入であることが示されている。
【００１９】
なお、加入者情報としては、上記に例示したもの以外にも、例えば加入者の住所や通信料金の決済方法、また決済機関の口座番号等の様々な情報を当然含み得るが、説明の便宜のため全ての加入者情報については省略する。
【００２０】
図４は通知情報テーブルＴＢ２のデータ構造を示した図である。この通知情報テーブルＴＢ２に記述されている内容は電気通信事業者によって予め決められたものである。以下、同図を参照しつつ各フィールドの説明を行う。
通知情報名ｍｓｇＮａｍｅには、変更対象となるサービス等の名称に関するデータが記述されている。通知先ｍｓｇＡｄｄｒには、該当する項目の加入者情報が変更された場合に通知する、通知メッセージの送信先に関するデータが記述されている。ここで「加入者Ａ」とは、加入者情報が変更された加入者自身を指している。即ち、加入者の情報が変更されたときに、この通知先に「加入者Ａ」が記述されているときには、上記加入者自身のメッセージ受信端末４に通知メッセージが送信されることになる。
これに対し、「加入者Ｂ」とは、上記加入者Ａ以外の加入者を意味しており、本実施形態では、加入者Ａと通話を行った相手となる加入者が上記加入者Ｂに該当する。即ち、加入者Ａと通話を行った加入者は、上記加入者Ａの知人・友人である可能性が極めて高いと考えられるから、このような加入者（加入者Ｂ）に対しては加入者Ａに関する加入者情報の変更内容を通知した方が有益であると考えられるからである。例えば、加入者Ａが留守番電話サービスに加入した場合、その加入の旨を加入者Ｂに通知しておけば、加入者Ｂは留守番電話サービスを利用すれば加入者Ａに伝言可能であると予想できることになるから、加入者Ｂにとっては非常に便利である。また、この通知先ｍｓｇＡｄｄｒのデータは後述する通知時期情報テーブルＴＢ３の該当レコードと関連付けられており、この関連付けによって通知メッセージの通知時期が定められている。
次に、メッセージ内容ｍｓｇＣｏｎｔｅｎｔｓには、該当する項目の加入者情報が変更された場合に配信される通知メッセージの内容に関するデータが記述されている。
本実施形態では、通知メッセージは、予めＨＤＤ１４に記憶されているテンプレートに対し、変更された加入者情報の内容データが埋め込まれることで生成されるようになっている。上記メッセージ内容ｍｓｇＣｏｎｔｅｎｔｓに記述されているデータは、その埋め込み対象となるテンプレートファイルのファイルパスである。ここで、図５は「サービスＡ」に加入した場合の通知メッセージであり、図６はメールアドレスを変更した場合の通知メッセージである。これらの図が示すように、図５のように毎回固定された内容の通知メッセージもあれば、図６のように、テンプレートを利用して図中下線で示された「ｍＡｄｄｒ」部分に変更後のメールアドレスを埋め込むことによって生成されるような可変の通知メッセージもある。これは、例えば図４に示されたように、「メールアドレス」が変更された場合の通知先として「加入者Ａ，Ｂ」が設定されており、その通知内容としては、ファイルパスが「Ｃ：￥ｘｘｘ￥ｘｘｘ￥００１．ｔｍｐ」であるテンプレートファイルに基づいて生成されるような場合である。また、図５，６に示されたように、これらのテンプレートには、当該サービスに関する問い合わせ先の電話番号や、当該サービスの詳細や利用方法を説明したＷｅｂページへのリンクを含むことが可能である。
【００２１】
図７は通知時期情報テーブルＴＢ３のデータ構造を示した図である。この通知時期情報テーブルＴＢ３の内容は電気通信事業者によって予め決められたものである。以下、同図を参照しつつ各フィールドの説明を行う。
通知先ｍｓｇＴａｒｇｅｔには、通知メッセージの通知先を特定するデータが記述されている。本実施例においては、通知先ｍｓｇＴａｒｇｅｔの値は「加入者Ａ」または「加入者Ｂ」である。
通知時期ｍｓｇＴｉｍｉｎｇには、通知時期に関するデータが記述されている。本実施例においては、「加入者Ａ」に対する通知時期は「加入者情報登録完了時」であり、「加入者Ｂ」に対する通知時期は「加入者Ａによる加入者情報登録完了後の最初の通話完了時」である。
【００２２】
（１−４）メッセージ配信装置２
メッセージ配信装置２は、メッセージ受信端末４宛のメッセージを受信すると、そのメッセージを宛先であるメッセージ受信端末４に送信する機能を備えている。より具体的には、メッセージ配信装置２は、加入者情報管理装置１から通知メッセージを受信すると、その通知メッセージをいったん記憶したのち、その通知メッセージに記述されている宛先を参照してその宛先のメッセージ受信端末４へ通知メッセージを送信する。メッセージ配信装置２は、メッセージ受信端末４が通知メッセージを受信するまで再送を繰り返し、メッセージ配信が完了した時点で、記憶している通知メッセージを削除する。
【００２３】
図８はメッセージ配信装置２の内部構成を示すブロック図である。同図に示されるように、メッセージ配信装置２はＣＰＵ２１，ＲＯＭ２２，ＲＡＭ２３，ＨＤＤ２４，通信インターフェース２５を備えている。ＨＤＤ２４には、ＣＰＵ２１が後述するようなメッセージ配信動作を行うためのコンピュータプログラムはが記憶されている。
【００２４】
（２）動作
次に、上記構成からなる実施形態の動作について説明する。
以下では、加入者Ａが加入者情報を変更し、加入者情報変更の通知メッセージを加入者Ａ（自分自身）および通信先の加入者Ｂに対して送信する場合を例として説明を行う。なお、メッセージ受信端末４ａが加入者Ａによって利用され，メッセージ受信端末４ｂが加入者Ｂによって利用されるものとする。
【００２５】
まず、加入者Ａの加入者情報を変更すると、加入者情報管理装置１においては加入者情報テーブルＴＢ１の該当レコードが更新される。加入者情報管理装置１はレコードの更新を確認し、加入者情報の変更内容（どのフィールドが更新されたか、等）に基づいて通知情報、通知先、および通知時期を判断する。
【００２６】
通知情報とは通知メッセージに記述される情報であり、例えば加入者Ａのメールアドレスが変更された場合であれば変更後のメールアドレス等が含まれる。
通知先とは通知情報を通知する相手であり、この場合加入者Ａまたは加入者Ｂである。通知メッセージの通知先は変更された加入者情報によって異なり、加入者ＡまたはＢのみに通知する場合と、加入者ＡおよびＢの双方に通知する場合とがある。これらは加入者情報の変更内容をもとに、通知情報テーブルＴＢ２に記述された内容によって決定される。
通知時期とは通知先毎に異なり、これらのデータは通知時期情報テーブルＴＢ３に記述されている。例えば、通知先が加入者Ａであれば通知時期は加入者情報変更の直後であり、通知先が加入者Ｂであれば通知時期は加入者Ａによる加入者情報変更後の最初の加入者Ａ，Ｂ間の音声通話終了時である。
【００２７】
このため、本システムにおいて加入者情報処理装置で加入者情報の変更がなされてから通知メッセージが配信されるまでの一連の処理には、加入者Ａのメッセージ受信端末４ａに対して通知メッセージを配信するための処理と、加入者Ｂのメッセージ受信端末４ｂに対して通知メッセージを配信するための処理とがあり、それらの一方または両方が、変更された加入者情報の内容に応じて適宜選択されて実行される。これらの処理について、２つのシーケンス図を用いて以下に説明する。
【００２８】
図９は、本システムにおいて加入者Ａのメッセージ受信端末４ａに対して通知メッセージを配信する場合の処理を説明するシーケンス図である。以下、同図を参照しつつ説明する。
なお、２つの処理シーケンスを区別するために、以下においてはこの処理シーケンスを「シーケンスα」とする。
【００２９】
まず、加入者情報処理装置において、加入者Ａの加入者情報が変更される（ステップＳａ１）。このとき加入者情報処理装置では、加入者情報の変更内容に基づいて、通知メッセージにおいて通知すべき通知情報、通知先、通知時期を判断することにより通知メッセージ作成の準備をする（ステップＳａ２）。
【００３０】
続いて、加入者情報管理装置１は通知時期が訪れるのを待機する（ステップＳａ３）。通知時期は通知時期情報テーブルＴＢ３によって管理されており、シーケンスαにおいては、通知先は加入者Ａであるため、通知時期は加入者情報の変更終了時である。このため、加入者情報管理装置１では即座に通知メッセージの作成を開始する（ステップＳａ４）。
【００３１】
通知メッセージは、上述の通知情報に基づいて作成される。具体的な処理は以下の通りである。
まず、加入者情報管理装置１では通知情報テーブルＴＢ２を参照し、通知情報をもとに該当する通知情報名ｍｓｇＮａｍｅをサーチすることにより、通知先ｍｓｇＡｄｄｒとメッセージ内容ｍｓｇＣｏｎｔｅｎｔｓを取得する。図５を例とすれば、メッセージ内容ｍｓｇＣｏｎｔｅｎｔｓをもとにテンプレートのデータを取得し、ここに変更した加入者情報データを埋め込むことにより表示するメッセージを完成させ、さらに通知先ｍｓｇＡｄｄｒをもとにメッセージの宛先を決定させれば、通知メッセージが完成する。また、通知時期については、上述の通知先ｍｓｇＡｄｄｒをもとに通知時期情報テーブルＴＢ３を参照することで求める。
【００３２】
上述の処理により通知メッセージの作成が終了すると、加入者情報管理装置１はメッセージ配信装置２へ通知メッセージを配信する（ステップＳａ５）。メッセージ配信装置２は通知メッセージを受信すると、これを一旦ＨＤＤ２４へと蓄積する（ステップＳａ６）。また、通知メッセージの蓄積と同時に、メッセージ配信装置２は通知メッセージの宛先を判断し、指定された宛先（この場合加入者Ａ）のメッセージ受信端末４ａへと通知メッセージを配信する（ステップＳａ７）。
【００３３】
加入者Ａのメッセージ受信端末４ａでは、通知メッセージを受信したら受信完了通知をメッセージ配信装置２へ配信する（ステップＳａ８）。メッセージ配信装置２では、この受信完了通知を受信するまで定期的に再送を試みるが、受信完了通知を受信した時点で再送を停止し、ＨＤＤ２４へ蓄積した通知メッセージのなかから該当する通知メッセージを削除する（ステップＳａ９）。
通知メッセージを受信した加入者Ａのメッセージ受信端末４ａでは、通知メッセージが表示部に表示される。これにより、加入者Ａは加入者情報の変更内容を確認することが可能となる。
【００３４】
加入者Ａのメッセージ受信端末４ａに対して通知メッセージを配信する場合の処理は、以上説明した通りである。続いて、加入者Ｂのメッセージ受信端末４ｂに対して通知メッセージを配信する場合の処理を説明する。
図１０は、本システムにおいて加入者Ｂのメッセージ受信端末４ｂに対して通知メッセージを配信する場合の処理を説明するシーケンス図である。以下、同図を参照しつつ説明する。なお、以下において本処理シーケンスは、上述したシーケンスαに対して「シーケンスβ」とする。
【００３５】
まず、加入者情報処理装置において、加入者Ａの加入者情報が変更される（ステップＳｂ１）。このとき加入者情報処理装置では、加入者情報の変更内容に基づいて、通知メッセージの通知する情報、通知先、通知時期を判断することにより通知メッセージ作成の準備をする（ステップＳｂ２）。続いて加入者情報管理装置１は通知時期が訪れるのを待機する（ステップＳｂ３）。通知時期は通知時期情報テーブルＴＢ３によって管理されており、シーケンスβにおいては、通知先は加入者Ｂであるから、通知時期は加入者Ａの加入者情報変更後における、加入者Ａ，Ｂ間の最初の音声通話完了時である。
【００３６】
ここで、加入者Ａの加入者情報変更後の、加入者Ａ，Ｂ間の最初の音声通話が完了する（ステップＳｂ４）。メッセージ受信端末４ａ，４ｂ間の音声通話が完了すると、交換機３２が接続の切断を検知し、これを加入者情報管理装置１に通知時期として配信する。
これを受信した加入者情報管理装置１は、受信した通知時期に基づいて通知メッセージの作成を開始する（ステップＳｂ５）。通知メッセージの作成手順はシーケンスαと同様であるため、ここでは説明を省略する。
【００３７】
通知メッセージの作成が終了すると、加入者情報管理装置１はメッセージ配信装置２へ通知メッセージを配信する（ステップＳｂ６）。メッセージ配信装置２は通知メッセージを受信すると、これを一旦ＨＤＤ２４へと蓄積する（ステップＳｂ７）。また、通知メッセージの蓄積と同時に、メッセージ配信装置２は加入者Ｂのメッセージ受信端末４ｂへと通知メッセージを配信する（ステップＳｂ８）。
【００３８】
加入者Ｂのメッセージ受信端末４ｂでは、通知メッセージを受信したら受信完了通知をメッセージ配信装置２へ配信する（ステップＳｂ９）。メッセージ配信装置２では、この受信完了通知を受信するまで定期的に再送を試みるが、受信完了通知を受信した時点で再送を停止し、ＨＤＤ２４へ蓄積した通知メッセージのなかから該当する通知メッセージを削除する（ステップＳｂ１０）。
通知メッセージを受信した加入者Ｂのメッセージ受信端末４ｂでは、通知メッセージが表示部に表示される。これにより、加入者Ｂは加入者Ａの加入者情報の変更内容を確認することが可能となる。
【００３９】
以上説明された処理によって、加入者Ｂのメッセージ受信端末４ｂに対して通知メッセージが配信される。そして、変更された加入者情報の内容により、上述したシーケンスα、βの処理の一方ないし両方が適宜実行され、加入者情報変更を通知する通知メッセージが適切な相手へと配信される。
続いて、上述した処理をより具体的に説明するために、以下では加入者情報変更の３つのケースを例示し、この例に沿っての説明を行う。
【００４０】
（２−１）具体例１：料金明細サービス
ここでは、上述した「サービスＡ」の内容を「料金明細サービス」とした場合について、本システムの動作を説明する。本例の「料金明細サービス」とは、本サービスを申し込んだ加入者（加入者Ａとする）に対して、メッセージ受信端末４により行われた通信の通信先、通信日時、通信時間等を詳細に記録した料金明細書を加入者に対して定期的に送付するサービスである。本サービスの申込が行われた場合、加入者情報変更に伴う通知メッセージは加入者Ａのみに配信される。よって、以下ではシーケンスαの処理手順に従って説明を行う。
【００４１】
加入者Ａが「料金明細サービス」に加入すると、加入者情報管理装置１にこの旨が通知され、加入者情報管理装置１はこの通知を受けて加入者情報テーブルＴＢ１を更新する（ステップＳａ１）。具体的には、加入者情報管理装置１が加入者情報テーブルＴＢ１から加入者Ａの情報が記録されているレコードをサーチし、このレコードのサービスＡフラグｆｌｇＡの値を「０」から「１」に書き換える。
【００４２】
それと同時に、加入者情報管理装置１は通知情報テーブルＴＢ２を参照して、変更された加入者情報に基づいて作成される通知メッセージの準備を行う（ステップＳａ２）。具体的には、加入者情報管理装置１が変更された加入者情報の内容（この場合「料金明細サービス」、すなわち図４中の「サービスＡ」）、すなわち通知情報名ｍｓｇＮａｍｅをキーとして通知情報テーブルＴＢ２の該当レコードをサーチし、ここから通知先ｍｓｇＡｄｄｒとメッセージ内容ｍｓｇＣｏｎｔｅｎｔｓを抽出する。「料金明細サービス」の通知先は自分自身、すなわち加入者Ａであるから、加入者情報管理装置１はこの後直ちに通知メッセージを作成する（ステップＳａ４）。
【００４３】
通知メッセージは、抽出されたメッセージ内容ｍｓｇＣｏｎｔｅｎｔｓのデータをもとに作成される。「料金明細サービス」の加入により作成される通知メッセージは、例えば図５中の「サービスＡ」を「料金明細サービス」に置き換えたものとなる。
さらに、抽出された通知先ｍｓｇＡｄｄｒのデータにより通知メッセージの宛先が定まり、これによって通知メッセージは完成する。完成した通知メッセージは加入者情報管理装置１によってメッセージ配信装置２へと送信される（ステップＳａ５）。メッセージ配信装置２ではこの通知メッセージを受信すると、加入者Ａのメッセージ受信端末４へと配信する（ステップＳａ７）。
【００４４】
以上説明した手順によってメッセージ受信端末４ａは通知メッセージを受信し、加入者Ａは「料金明細サービス」に加入した旨を確認することが可能となる。
【００４５】
（２−２）具体例２：割引通話サービス
ここでは、上述した「サービスＢ」の内容を「割引通話サービス」とした場合について、本システムの動作を説明する。本例の「割引通話サービス」とは、本サービスを申し込んだ加入者（加入者Ａとする）と、加入者Ａが指定する特定の加入者（加入者Ｂとする）との間の通話料金が、主回線・副回線共に通常の通話料金よりも一定の割合だけ（例えば３０％）割引となるサービスである。本サービスの申込が行われた場合、加入者情報変更に伴う通知メッセージは加入者Ａと加入者Ｂの双方に配信され、その通知内容は双方で同一である。以下ではシーケンスαおよびβの処理手順に従い、これらの処理が同時に進行する場合の説明を行う。
【００４６】
加入者Ａが「割引通話サービス」に加入すると、加入者情報管理装置１にこの旨が通知され、加入者情報管理装置１はこの通知を受けて加入者情報テーブルＴＢ１を更新する（ステップＳａ１，Ｓｂ１）。具体的には、加入者情報管理装置１が加入者情報テーブルＴＢ１から加入者Ａの情報が記録されているレコードをサーチし、このレコードのサービスＢフラグｆｌｇＢの値を「０」から「１」に書き換える。
【００４７】
それと同時に、加入者情報管理装置１は通知情報テーブルＴＢ２を参照して、変更された加入者情報に基づいて作成される通知メッセージの準備を行う（ステップＳａ２，Ｓｂ２）。具体的には、加入者情報管理装置１が変更された加入者情報の内容（この場合「割引通話サービス」、すなわち図４中の「サービスＢ」）をキーとして通知情報テーブルＴＢ２の該当レコードをサーチし、ここから通知先ｍｓｇＡｄｄｒとメッセージ内容ｍｓｇＣｏｎｔｅｎｔｓを抽出する。「割引通話サービス」の通知先は加入者ＡおよびＢであるから、加入者情報管理装置１はこの後直ちに加入者Ａ宛の通知メッセージを作成するとともに（ステップＳａ４）、加入者Ｂ宛の通知メッセージの通知時期が訪れるのを待機する（ステップＳｂ３）。加入者Ａ宛の通知メッセージの作成および配信の手順は既に説明したので省略し、加入者Ａに通知メッセージが配信されたものとして説明を続ける。
【００４８】
加入者Ａが「割引通話サービス」に加入した旨の通知メッセージを加入者Ａが受け取った後、加入者Ａが加入者Ｂとの最初の通話を行う（ステップＳｂ４）。
これにより、加入者情報管理装置１には加入者Ｂへ通知メッセージを配信する通知時期が知らされることとなる。
【００４９】
加入者情報管理装置１はこの通知時期を受信すると、加入者Ｂ宛の通知メッセージの作成を開始する（ステップＳｂ５）。ここで作成される通知メッセージは上述の加入者Ａへのそれと同一であるから、作成手順の説明を省略する。
【００５０】
この通知メッセージの作成が終了すると、加入者情報管理装置１はメッセージ配信装置２へ通知メッセージを送信する（ステップＳｂ６）。メッセージ配信装置２は通知メッセージを受信すると、これを一旦ＨＤＤ２４へと蓄積する（ステップＳｂ７）。また、通知メッセージの蓄積と同時に、メッセージ配信装置２は加入者Ｂのメッセージ受信端末４へと通知メッセージを配信する（ステップＳｂ８）。
【００５１】
以上説明した手順によってメッセージ受信端末４ａ，４ｂは通知メッセージを受信し、加入者Ａが「割引通話サービス」に加入した旨を加入者Ａ，Ｂ共に確認することが可能となる。
このとき配信される通知メッセージは、例えば図１１のようであり、加入者Ａ，Ｂ双方に共通の内容となっている。
【００５２】
（２−３）具体例３：番号ポータビリティサービスによるポートイン
続いて、番号ポータビリティサービスにより、加入者Ａが新たに加入者Ｂの契約している電気通信事業者（ＤＤＤ社とする）と契約（ポートイン）した場合について説明を行う。また、ポートインに際して、加入者Ａはメールアドレスを変更し、「サービスＡ」として具体例１で説明した「料金明細サービス」と、「サービスＢ」として具体例２で説明した「割引通話サービス」に加入する状況を想定する。
ポートインに伴う通知メッセージは加入者Ａと加入者Ｂの双方に送信されるが、その通知内容は互いに異なる。以下ではシーケンスαおよびβの処理手順に従い、これらの処理が同時に進行する場合の説明を行う。
【００５３】
加入者Ａがポートインすると、加入者情報管理装置１にこの旨が通知され、加入者情報管理装置１はこの通知を受けて、加入者情報テーブルＴＢ１の変更を行う（ステップＳａ１，Ｓｂ１）。加入者Ａはポートインにより新たにＤＤＤ社と契約を結ぶものであるから、この場合加入者情報テーブルＴＢ１には新規レコードが作成される。
【００５４】
それと同時に、加入者情報管理装置１は通知情報テーブルＴＢ２を参照して、ポートインによって作成される通知メッセージの準備を行う（ステップＳａ２，Ｓｂ２）。ポートインに際してはレコードそのものが新規作成されるため、通知対象は、レコードが変更された場合に通知メッセージを配信することになっている全ての加入者情報データとなる。そこで、ポートインに際して配信される通知メッセージに対しては、例えば図１２，１３に示されるようなテンプレートが用いられる。
【００５５】
図１２は加入者Ａに配信する通知メッセージのテンプレートである。同図に示されるように、加入者Ａに通知する加入者情報データには、加入者名ｕＮａｍｅ，変更後のメールアドレスｍＡｄｄｒ，および「各サービスへの加入可否の一覧」表示エリアがある。「各サービスの加入可否の一覧」表示エリアは、サービスＡフラグｆｌｇＡ，サービスＢフラグｆｌｇＢ等のフラグの値を参照し、その値が「１」なら当該サービスに加入している旨を表示し、「０」なら当該サービスに加入していない旨を表示することによって、加入者Ａが加入しているサービスを一覧表示させる表示エリアである。
【００５６】
図１３は加入者Ｂに配信する通知メッセージのテンプレートである。同図に示されるように、加入者Ｂに通知する加入者情報データには、加入者名ｕＮａｍｅ，変更後のメールアドレスｍＡｄｄｒ，および加入者Ｂが得られる特典等を告知する複数の「定型文」表示エリアがある。
加入者Ｂに対して通知される加入者情報データには、取捨選択が必要である。例えば、上述の具体例１で「料金明細サービス」について説明したが、このようなサービスの場合、加入者Ｂに対して通知する必要がない。一方、具体例２で説明したような「割引通話サービス」のようなサービスへの加入は、加入者Ａのみならず加入者Ｂに対しても積極的に通知されるべきである。テンプレートに表示される項目にはこのような取捨選択があらかじめなされており、加入者Ｂに対して通知する価値のある情報が、例えば「これからはＡさんとの通話料が通常料金の３０％ＯＦＦとなります！」のような文章となって、該当するフラグの値に応じてこの「定型文」表示エリアに表示されることで通知される。
【００５７】
以上説明したようなテンプレートを用いることにより、加入者管理装置では、まず加入者Ａ宛の通知メッセージが作成される（ステップＳａ４）。加入者Ｂ宛の通知メッセージは、通知時期が訪れるまでは作成されずに待機状態となっている（ステップＳｂ３）。
【００５８】
その後、加入者Ａに対して通知メッセージが配信され（ステップＳａ７）、加入者Ａがポートイン後、加入者Ｂとの最初の通話を行う（ステップＳｂ４）。これにより、加入者情報管理装置１には加入者Ｂへ通知メッセージを配信する通知時期が知らされることとなる。
【００５９】
加入者情報管理装置１はこの通知時期を受信すると、加入者Ｂ宛の通知メッセージの作成を開始する（ステップＳｂ５）。ここで、通知メッセージは、上述の図１３のテンプレートに基づいて作成される。以下、既に説明したステップＳｂ６〜Ｓｂ８の手順によって、通知メッセージは加入者Ｂへと配信される。
【００６０】
以上説明した手順によって、加入者Ａ，Ｂがともに加入者Ａのポートインに関する通知メッセージを受信することが可能となる。このとき加入者Ａ，Ｂに配信される通知メッセージは、それぞれ図１４，１５のようになる。図１４，１５は、加入者Ａが加入者情報テーブルＴＢ１における、加入者ＩＤ「００２」の「移動  花子」であった場合の表示例である。
【００６１】
（３）変形例
なお、本発明は上述した実施形態に限定されず、以下のような種々の変更が可能である。
【００６２】
（３−１）変形例１
上述の実施形態においては、通知メッセージは加入者情報管理装置１で作成され、これをメッセージ配信装置２に送信し、メッセージ受信端末４へと配信している。しかし本発明はこのような態様に限定されず、例えば以下のような態様にて実施することも可能である。
すなわち、加入者情報管理装置１は通知メッセージの作成を行わず、メッセージ配信装置２に対してメッセージの作成指示を送信する態様である。以下においては、この態様にて実行される処理シーケンスを図１６，１７に示すシーケンス図に沿って説明する。なお、図１６，１７に示された処理シーケンスをそれぞれ「シーケンスα’」「シーケンスβ’」とし、それぞれは上述の実施形態の「シーケンスα」「シーケンスβ」に対応する。つまり、図１６は本態様において加入者Ａのメッセージ受信端末４に対して通知メッセージを配信する場合の処理を説明するシーケンス図であり、図１７は本態様において加入者Ｂのメッセージ受信端末４に対して通知メッセージを配信する場合の処理を説明するシーケンス図である。
【００６３】
なお、本態様は、上述の実施形態と同一のシステム構成にて実施されるが、加入者情報管理装置１やメッセージ配信装置２の記憶するデータの内容は一部異なる。例えば、通知メッセージの作成が加入者情報管理装置１ではなくメッセージ配信装置２であるため、通知メッセージを作成するためのプログラムやテンプレート等のファイルは、メッセージ配信装置２内部のＨＤＤ２４に記憶されている。
【００６４】
以下、シーケンスα’に示される処理について、図１６を参照しつつ説明する。
まず、加入者情報処理装置において、加入者Ａの加入者情報が変更される（ステップＳｃ１）。このとき加入者情報処理装置では、加入者情報の変更内容に基づいて、通知メッセージにおいて通知すべき通知情報、通知先、通知時期を判断することにより通知メッセージ作成の準備をする（ステップＳｃ２）。
【００６５】
続いて、加入者情報管理装置１は通知時期が訪れるのを待機する（ステップＳｃ３）。通知時期は通知時期情報テーブルＴＢ３によって管理されており、シーケンスα’においては、通知先は加入者Ａであるため、通知時期は加入者情報の変更終了時である。このため、加入者情報管理装置１は即座に、通知メッセージの作成指示をメッセージ配信装置２に対して送信する（ステップＳｃ４）。この通知メッセージの作成指示に含まれる情報は、通知情報テーブルＴＢ２より取得した通知情報名ｍｓｇＮａｍｅ，通知先ｍｓｇＡｄｄｒ，メッセージ内容ｍｓｇＣｏｎｔｅｎｔｓ等の情報である。
【００６６】
通知メッセージの作成指示を受信すると、メッセージ配信装置２は通知メッセージの作成を開始する（ステップＳｃ５）。具体的には、メッセージ配信装置２はＨＤＤ２４内部に記憶されたテンプレートファイルのデータと上述の通知情報名ｍｓｇＮａｍｅ，通知先ｍｓｇＡｄｄｒ，メッセージ内容ｍｓｇＣｏｎｔｅｎｔｓ等の情報を用いて、上述の実施形態と同様にして通知メッセージを作成する。
【００６７】
通知メッセージの作成が終了すると、メッセージ配信装置２はこれを一旦ＨＤＤ２４へと蓄積する（ステップＳｃ６）。また、通知メッセージの蓄積と同時に、メッセージ配信装置２は指定された宛先（この場合加入者Ａ）のメッセージ受信端末４へと通知メッセージを配信する（ステップＳｃ７）。
【００６８】
加入者Ａのメッセージ受信端末４では、通知メッセージを受信したら受信完了通知をメッセージ配信装置２へ送信する（ステップＳｃ８）。メッセージ配信装置２では、この受信完了通知を受信するまで定期的に再送を試みるが、受信完了通知を受信した時点で再送を停止し、ＨＤＤ２４へ蓄積した通知メッセージのなかから該当する通知メッセージを削除する（ステップＳｃ９）。
通知メッセージを受信した加入者Ａのメッセージ受信端末４ａでは、通知メッセージが表示部に表示される。これにより、加入者Ａは加入者情報の変更内容を確認することが可能となる。
【００６９】
加入者Ａのメッセージ受信端末４に対して通知メッセージを配信する場合の処理は、以上説明した通りである。続いて、加入者Ｂのメッセージ受信端末４に対して通知メッセージを配信する場合の処理、すなわちシーケンスβ’で示される処理について、図１７を参照しつつ説明する。
【００７０】
まず、加入者情報処理装置において、加入者Ａの加入者情報が変更される（ステップＳｄ１）。このとき加入者情報処理装置では、加入者情報の変更内容に基づいて、通知メッセージの通知する情報、通知先、通知時期を判断することにより通知メッセージ作成の準備をする（ステップＳｄ２）。続いて加入者情報管理装置１は通知時期が訪れるのを待機する（ステップＳｄ３）。通知時期は通知時期情報テーブルＴＢ３によって管理されており、シーケンスβ’においては、通知先は加入者Ｂであるから、通知時期は加入者Ａの加入者情報変更後における、加入者Ａ，Ｂ間の最初の音声通話完了時である。
【００７１】
ここで、加入者Ａの加入者情報変更後の、加入者Ａ，Ｂ間の最初の音声通話が完了する（ステップＳｄ４）。メッセージ受信端末４ａ，４ｂ間の音声通話が完了すると、交換機３２が接続の切断を検知し、これを加入者情報管理装置１に通知時期として送信する。
【００７２】
これを受信した加入者情報管理装置１は、受信した通知時期に基づいて通知メッセージの作成指示をメッセージ配信装置２に対して送信する（ステップＳｄ５）。この通知メッセージの作成指示に含まれる情報は、通知情報テーブルＴＢ２より取得した通知情報名ｍｓｇＮａｍｅ，通知先ｍｓｇＡｄｄｒ，メッセージ内容ｍｓｇＣｏｎｔｅｎｔｓ等の情報である。
【００７３】
通知メッセージの作成（ステップＳｄ６）が終了すると、メッセージ配信装置２はこれを一旦ＨＤＤ２４へと蓄積する（ステップＳｄ７）。また、通知メッセージの蓄積と同時に、メッセージ配信装置２は指定された宛先（この場合加入者Ｂ）のメッセージ受信端末４へと通知メッセージを配信する（ステップＳｄ８）。
【００７４】
加入者Ｂのメッセージ受信端末４では、通知メッセージを受信したら受信完了通知をメッセージ配信装置２へ送信する（ステップＳｄ９）。メッセージ配信装置２では、この受信完了通知を受信するまで定期的に再送を試みるが、受信完了通知を受信した時点で再送を停止し、ＨＤＤ２４へ蓄積した通知メッセージのなかから該当する通知メッセージを削除する（ステップＳｄ１０）。
通知メッセージを受信した加入者Ｂのメッセージ受信端末４ｂでは、通知メッセージが表示部に表示される。これにより、加入者Ｂは加入者Ａの加入者情報の変更内容を確認することが可能となる。
以上が加入者Ｂのメッセージ受信端末４ｂに対して通知メッセージを配信する場合の処理である。
【００７５】
本態様にて実施することにより、以下の効果が期待できる。
まず、加入者情報管理装置１にかかる負荷を低減することが可能である。加入者情報管理装置１が保持する加入者情報には極めて個人的な情報が含まれ、その機密性が求められる。かつ、加入者情報管理装置１の加入者情報は日々多数の端末からアクセスされ、変更が加えられている。いきおい、加入者情報管理装置１は常時安定して稼働していることが求められる。このため、通知メッセージ作成等の処理を外部で行い、かかる処理に要するハードウェアリソースを解放することは、加入者情報管理装置１の安定性の確保に効果がある。
また、メッセージ作成をメッセージ配信装置２で行うことにより、例えば本発明以外のメッセージ配信サービスが存在する場合には、このサービスから本態様と同様のシーケンス処理によってメッセージの作成指示を受け付けることにより、メッセージ作成処理を一元化することが可能となる。これにより、複数の装置にメッセージ作成機能を持たせる必要がなくなる。
【００７６】
（３−２）変形例２
上述の実施形態の具体例２においては、加入者Ａ，Ｂに配信される通知メッセージは同一である。当実施形態では、説明を容易ならしめるためにシーケンス図に沿って通知メッセージ作成を２回行っているが、実際にはこれらの通知メッセージは１回作成されれば充分である。
そこで、具体例２において、ステップＳａ４で作成した通知メッセージを加入者Ａに配信したあと削除せずに、加入者Ｂとの通話を待ち、加入者Ａ，Ｂ間の音声通話が終了して加入者Ｂに通知メッセージを配信してから蓄積された通知メッセージを削除する態様としてもよい。
このような態様とすることにより、ステップＳａ９，およびステップＳｂ５，６，７を行わずに済み、同じメッセージを２度作成し削除するという不要な処理を省くことが可能となる。
【００７７】
（３−３）変形例３
上述の実施形態においては、通知メッセージの通知手段としてショートメッセージサービスを用いているが、電子メール等、他の通知手段を用いることももちろん可能である。また、通知メッセージはテキストメッセージによる表示に限らず、音声メッセージとすることも可能である。
【００７８】
（３−４）変形例４
上述の実施形態のシーケンスβにおいては、加入者Ａ，Ｂ間の音声通話の完了を通知時期として通知メッセージの作成を行っていたが、通知時期は上記に限定されない。例えばショートメッセージや電子メールの送受信の完了時を通知時期とすることももちろん可能である。
【００７９】
（３−５）変形例５
上述の実施形態における加入者情報テーブルＴＢ１，通知情報テーブルＴＢ２，および通知時期情報テーブルＴＢ３はあくまで一例であり、その構造は電気通信事業者の提供するサービス内容等により異なる。
【００８０】
【発明の効果】
上述したように本発明によれば、加入者にとってより簡便な仕組みで加入者情報の変更を通知することが可能となる。
【図面の簡単な説明】
【図１】本発明の一実施形態に係る加入者情報通知システムの全体構成図である。
【図２】同実施形態における加入者情報管理装置の内部構成を示すブロック図である。
【図３】同実施形態における加入者情報テーブルのデータ構造を示した図である。
【図４】同実施形態における通知情報テーブルのデータ構造を示した図である。
【図５】同実施形態におけるテンプレートのデータの表示例である。
【図６】同実施形態におけるテンプレートのデータの表示例である。
【図７】同実施形態における通知時期情報テーブルのデータ構造を示した図である。
【図８】同実施形態におけるメッセージ配信装置の内部構成を示すブロック図である。
【図９】同実施形態において、加入者Ａのメッセージ受信端末に対して通知メッセージを配信する場合の処理を説明するシーケンス図である。
【図１０】同実施形態において、加入者Ｂのメッセージ受信端末に対して通知メッセージを配信する場合の処理を説明するシーケンス図である。
【図１１】同実施形態において配信される通知メッセージの例である。
【図１２】同実施形態におけるテンプレートのデータの表示例である。
【図１３】同実施形態におけるテンプレートのデータの表示例である。
【図１４】同実施形態における加入者Ａに配信される通知メッセージの例である。
【図１５】同実施形態における加入者Ｂに配信される通知メッセージの例である。
【図１６】本発明の変形例において、加入者Ａのメッセージ受信端末に対して通知メッセージを配信する場合の処理を説明するシーケンス図である。
【図１７】本発明の変形例において、加入者Ｂのメッセージ受信端末に対して通知メッセージを配信する場合の処理を説明するシーケンス図である。
【符号の説明】
１…加入者情報管理装置、２…メッセージ配信装置、３…通信ネットワーク、４…メッセージ受信端末、ＴＢ１…加入者情報テーブル、ＴＢ２…通知情報テーブル、ＴＢ３…通知時期情報テーブル。
【図１】
2004357000.tif 000003
【図２】
2004357000.tif 000004
【図３】
2004357000.tif 000005
【図４】
2004357000.tif 000006
【図５】
2004357000.tif 000007
【図６】
2004357000.tif 000008
【図７】
2004357000.tif 000009
【図８】
2004357000.tif 000010
【図９】
2004357000.tif 000011
【図１０】
2004357000.tif 000012
【図１１】
2004357000.tif 000013
【図１２】
2004357000.tif 000014
【図１３】
2004357000.tif 000015
【図１４】
2004357000.tif 000016
【図１５】
2004357000.tif 000017
【図１６】
2004357000.tif 000018
【図１７】
2004357000.tif 000019